(57)【要約】  本発明は、バックライトユニット用ＬＥＤレンズに関し、具体的には、立体光源で光を発散するＬＥＤチップ（ＬＥＤ  ｃｈｉｐ）から放射される光を均一に拡散させるためのバックライトユニット用ＬＥＤレンズに関する。本発明の一実施形態によるバックライトユニット用ＬＥＤレンズは、ＬＥＤチップ（ＬＥＤ  ｃｈｉｐ）から放射される光を均一に拡散させるためのバックライトユニット用ＬＥＤレンズにおいて、前記ＬＥＤチップから発散する光が前記レンズ内部に入射する入射面を備えた底面と、前記レンズ内部に入射した光が出射する出射面と、前記ＬＥＤチップから発散して前記レンズ内部に入射した光を前記出射面へ全反射させるように、前記底面に備えられた全反射面とを備え、前記全反射面が、下方に凸状の形状を有する第１の全反射面と、前記第２の全反射面に当接され、上方に凸状の形状を有する第２の全反射面とを備え、前記第１の全反射面及び前記第２の全反射面の間には変曲点が形成されてもよい。
2017524244.tif 000002
【特許請求の範囲】
【請求項１】
ＬＥＤチップ（ＬＥＤ  ｃｈｉｐ）から放射される光を均一に拡散させるためのバックライトユニット用ＬＥＤレンズにおいて、
前記ＬＥＤチップから発散する光が前記レンズ内部に入射する入射面を備えた底面と、
前記レンズ内部に入射した光が出射する出射面と、
前記ＬＥＤチップから発散して前記レンズ内部に入射した光を前記出射面へ全反射させるように、前記底面に備えられた全反射面と
を備え、
前記全反射面が、下方に凸状の形状を有する第１の全反射面と、前記第２の全反射面に当接され、上方に凸状の形状を有する第２の全反射面とを備え、
前記第１の全反射面及び前記第２の全反射面の間には変曲点が形成されることを特徴とする、バックライトユニット用ＬＥＤレンズ。
【請求項２】
前記変曲点が、前記ＬＥＤチップの中心軸から前記レンズの半径の２／５〜３／５の範囲内の箇所に形成されることを特徴とする、請求項１に記載のバックライトユニット用ＬＥＤレンズ。
【請求項３】
前記変曲点が、前記ＬＥＤチップの中心軸から前記レンズの半径の１／２の箇所に形成されることを特徴とする、請求項２に記載のバックライトユニット用ＬＥＤレンズ。
【請求項４】
前記全反射面が、前記第２の全反射面に当接され、前記出射面でフレネル反射（Ｆｒｅｓｎｅｌ  ｒｅｆｌｅｃｔｉｏｎ）された光を前記レンズ外部へ全反射させる第３の全反射面をさらに備え、前記第２の全反射面及び前記第３の全反射面の間にはピーク点が形成されることを特徴とする、請求項１に記載のバックライトユニット用ＬＥＤレンズ。
【請求項５】
前記ピーク点が、前記ＬＥＤチップの中心軸から前記レンズの半径の３／５〜３／４の範囲内の箇所に形成されることを特徴とする、請求項４に記載のバックライトユニット用ＬＥＤレンズ。
【請求項６】
前記ピーク点が、前記ＬＥＤチップの中心軸から前記レンズの半径の２／３の箇所に形成されることを特徴とする、請求項５に記載のバックライトユニット用ＬＥＤレンズ。
【請求項７】
前記底面が、前記入射面及び前記第１の全反射面を当接する第１の底面と、前記第３の全反射面及び前記出射面を当接する第２の底面とを備え、
前記第１の底面及び前記第２の底面には、入射する光を散乱させるように表面処理がなされていることを特徴とする、請求項４に記載のバックライトユニット用ＬＥＤレンズ。
【請求項８】
前記入射面及び前記第１の底面の当接部には、前記ＬＥＤレンズの光軸から離遠する方向に拡張される形状を有する当接面が備えられ、
前記当接面には、入射する光を散乱させるように表面処理がなされていることを特徴とする、請求項７に記載のバックライトユニット用ＬＥＤレンズ。
【請求項９】
ＬＥＤチップ（ＬＥＤ  ｃｈｉｐ）から放射される光を均一に拡散させるためのバックライトユニット用ＬＥＤレンズにおいて、
前記ＬＥＤチップから発散する光が前記レンズ内部に入射する入射面を備えた底面と、  前記レンズ内部に入射した光が出射する出射面と、
前記ＬＥＤチップから発散して前記レンズ内部に入射した光を前記出射面へ全反射させるように、前記底面に備えられた全反射面と
を含み、
前記底面が、前記入射面及び前記全反射面を当接する第１の底面と、前記全反射面及び前記出射面を当接する第２の底面とを備え、前記第１の底面及び前記第２の底面には、入射する光を散乱させるように表面処理がなされていることを特徴とするバックライトユニット用ＬＥＤレンズ。
【請求項１０】
前記入射面及び前記第１の底面の当接部には、前記ＬＥＤレンズの光軸から離遠する方向に拡張される形状を有する当接面が備えられ、
前記当接面には、入射する光を散乱させるように表面処理がなされていることを特徴とする、請求項９に記載のバックライトユニット用ＬＥＤレンズ。
【請求項１１】
前記ＬＥＤレンズが、前記第２の底面に備えられたレッグをさらに備えることを特徴とする、請求項９に記載のバックライトユニット用ＬＥＤレンズ。
【請求項１２】
前記全反射面が、
下方に凸状の形状を有する第１の全反射面と、
前記第２の全反射面に当接され、上方に凸状の形状を有する第２の全反射面と
を備え、前記第１の全反射面及び前記第２の全反射面の間には変曲点が形成されることを特徴とする、請求項９に記載のバックライトユニット用ＬＥＤレンズ。
【請求項１３】
前記全反射面が、前記第２の全反射面に当接され、前記出射面でフレネル反射（Ｆｒｅｓｎｅｌ  ｒｅｆｌｅｃｔｉｏｎ）された光を前記レンズ外部へ全反射させる第３の全反射面をさらに備え、前記第２の全反射面及び前記第３の全反射面の間にはピーク点が形成されることを特徴とする、請求項１２に記載のバックライトユニット用ＬＥＤレンズ。
【発明の詳細な説明】
【技術分野】
【０００１】
本発明は、バックライトユニット用ＬＥＤレンズに関し、具体的には、立体光源で光を発散するＬＥＤチップ（ＬＥＤ  ｃｈｉｐ）から放射される光を均一に拡散させるためのバックライトユニット用ＬＥＤレンズに関する。
【背景技術】
【０００２】
一般的に、コンピューターのモニターやＴＶ等で用いられる表示装置（ｄｉｓｐｌａｙ  ｄｅｖｉｃｅ）には、液晶表示装置（Ｌｉｑｕｉｄ  Ｃｒｙｓｔａｌ  Ｄｉｓｐｌａｙ；ＬＣＤ）が備えられているが、このような液晶表示装置は、自ら発光することができないため、別途の光源を必要とする。
【０００３】
液晶表示装置用の光源としては、ＣＣＦＬ（Ｃｏｌｄ  Ｃａｔｈｏｄｅ  Ｆｌｕｏｒｅｓｃｅｎｔ  Ｌａｍｐ）、ＥＥＦＬ（Ｅｘｔｅｒｎａｌ  Ｅｌｅｃｔｒｏｄｅ  Ｆｌｕｏｒｅｓｃｅｎｔ  Ｌａｍｐ）等のような複数の蛍光ランプ（ｆｌｕｏｒｅｓｃｅｎｔ  ｌａｍｐ）が用いられるか、或いは複数のＬＥＤ（Ｌｉｇｈｔ  Ｅｍｉｔｔｉｎｇ  Ｄｉｏｄｅ）が用いられており、このような光源は、バックライトユニット（Ｂａｃｋ  Ｌｉｇｈｔ  Ｕｎｉｔ；ＢＬＵ）に、導光板、複数の光学シート、反射板等が共に備えられる。
【０００４】
近年では、このような光源のうち、消費電力が少なく、耐久性に優れ、製造コストを低減することができることから、ＬＥＤが次世代の光源として注目されている。しかしながら、光源としてＬＥＤを用いる場合、光が微小領域に集束して発散する傾向があるので、これを表示装置のような面光源に適用するためには、拡大領域へ光が均一に分布されるようにする必要性がある。
【０００５】
よって、近年では、このような機能を遂行するＬＥＤレンズに関する研究が活発に行われており、その中の代表的な従来技術としては、韓国登録特許第１０−０９７１６３９号公報及び韓国登録特許第１０−０９７７３３６号公報等がある。
【０００６】
しかしながら、従来技術によるＬＥＤレンズは、ＬＥＤから点光源で発散する光を考慮して設計されたレンズであることから、立体光源で発散するＬＥＤに適用するには適していない。
【先行技術文献】
【特許文献】
【０００７】
【特許文献１】韓国登録特許第１０−０９７１６３９号公報
【特許文献２】韓国登録特許第１０−０９７７３３６号公報
【発明の概要】
【発明が解決しようとする課題】
【０００８】
本発明は、前記課題を解決するためのものであり、立体光源で光を発散するＬＥＤチップ（ＬＥＤ  ｃｈｉｐ）から放射される光を均一に拡散させるためのバックライトユニット用ＬＥＤレンズを提供する。
【課題を解決するための手段】
【０００９】
本発明の一実施形態によるバックライトユニット用ＬＥＤレンズは、ＬＥＤチップ（ＬＥＤ  ｃｈｉｐ）から放射される光を均一に拡散させるためのバックライトユニット用ＬＥＤレンズにおいて、前記ＬＥＤチップから発散する光が前記レンズ内部に入射する入射面を備えた底面と、前記レンズ内部に入射した光が出射する出射面と、前記ＬＥＤチップから発散して前記レンズ内部に入射した光を前記出射面へ全反射させるように、前記底面に備えられた全反射面とを備え、前記全反射面が、下方に凸状の形状を有する第１の全反射面と、前記第２の全反射面に当接され、上方に凸状の形状を有する第２の全反射面とを備え、前記第１の全反射面及び前記第２の全反射面の間には変曲点が形成されてもよい。
【００１０】
また、本発明の一実施形態によるバックライトユニット用ＬＥＤレンズは、前記変曲点が、前記ＬＥＤチップの中心軸から前記レンズの半径の２／５〜３／５の範囲内の箇所に形成されてもよい。
【００１１】
また、本発明の一実施形態によるバックライトユニット用ＬＥＤレンズは、前記変曲点が、前記ＬＥＤチップの中心軸から前記レンズの半径の１／２の箇所に形成されてもよい。
【００１２】
また、本発明の一実施形態によるバックライトユニット用ＬＥＤレンズは、前記全反射面が、前記第２の全反射面に当接され、前記出射面でフレネル反射（Ｆｒｅｓｎｅｌ  ｒｅｆｌｅｃｔｉｏｎ）された光を前記レンズ外部へ全反射させる第３の全反射面をさらに備え、前記第２の全反射面及び前記第３の全反射面の間にはピーク点が形成されてもよい。
【００１３】
また、本発明の一実施形態によるバックライトユニット用ＬＥＤレンズは、前記ピーク点が、前記ＬＥＤチップの中心軸から前記レンズの半径の３／５〜３／４の範囲内の箇所に形成されてもよい。
【００１４】
また、本発明の一実施形態によるバックライトユニット用ＬＥＤレンズは、前記ピーク点が、前記ＬＥＤチップの中心軸から前記レンズの半径の２／３の箇所に形成されてもよい。
【００１５】
また、本発明の一実施形態によるバックライトユニット用ＬＥＤレンズは、前記底面が、前記入射面及び前記第１の全反射面を当接する第１の底面と、前記第３の全反射面及び前記出射面を当接する第２の底面とを備え、前記第１の底面及び前記第２の底面には、入射する光を散乱させるように表面処理がなされていてもよい。
【００１６】
また、本発明の一実施形態によるバックライトユニット用ＬＥＤレンズは、前記入射面及び前記第１の底面の当接部には、前記ＬＥＤレンズの光軸から離遠する方向に拡張される形状を有する当接面が備えられ、前記当接面には、入射する光を散乱させるように表面処理がなされていてもよい。
【００１７】
また、本発明の一実施形態によるバックライトユニット用ＬＥＤレンズは、ＬＥＤチップ（ＬＥＤ  ｃｈｉｐ）から放射される光を均一に拡散させるためのバックライトユニット用ＬＥＤレンズにおいて、前記ＬＥＤチップから発散する光が前記レンズ内部に入射する入射面を備えた底面と、前記レンズ内部に入射した光が出射する出射面と、前記ＬＥＤチップから発散して前記レンズ内部に入射した光を前記出射面へ全反射させるように、前記底面に備えられた全反射面とを備え、前記底面が、前記入射面及び前記全反射面を当接する第１の底面と、前記全反射面及び前記出射面を当接する第２の底面とを備え、前記第１の底面及び前記第２の底面には、入射する光を散乱させるように表面処理がなされていてもよい。
【００１８】
また、本発明の一実施形態によるバックライトユニット用ＬＥＤレンズは、前記入射面及び前記第１の底面の当接部には、前記ＬＥＤレンズの光軸から離遠する方向に拡張される形状を有する当接面が備えられ、前記当接面には、入射する光を散乱させるように表面処理がなされていてもよい。
【００１９】
また、本発明の一実施形態によるバックライトユニット用ＬＥＤレンズは、前記ＬＥＤレンズが、前記第２の底面に備えられたレッグをさらに備えてもよい。
【００２０】
また、本発明の一実施形態によるバックライトユニット用ＬＥＤレンズは、前記全反射面が、下方に凸状の形状を有する第１の全反射面と、前記第２の全反射面に当接され、上方に凸状の形状を有する第２の全反射面とを備え、前記第１の全反射面及び前記第２の全反射面の間には変曲点が形成されてもよい。
【００２１】
また、本発明の一実施形態によるバックライトユニット用ＬＥＤレンズは、前記全反射面が、前記第２の全反射面に当接され、前記出射面でフレネル反射（Ｆｒｅｓｎｅｌ  ｒｅｆｌｅｃｔｉｏｎ）された光を前記レンズ外部へ全反射させる第３の全反射面をさらに備え、前記第２の全反射面及び前記第３の全反射面の間にはピーク点が形成されてもよい。
【発明の効果】
【００２２】
前記構成を備える本発明によるバックライトユニット用ＬＥＤレンズは、立体光源（ｖｏｌｕｍｅ  ｓｏｕｒｃｅ）で光を発散するＬＥＤチップを光源として用いても、光を均一に拡散させることができる。
【００２３】
本発明による効果は、以上で言及した効果に制限されるものではなく、言及されていないその他の効果は、特許請求の範囲及び発明の詳細な説明の記載に基づいて、この発明の属する技術分野における通常の知識を執する者であれば、明確に理解することができる。
【図面の簡単な説明】
【００２４】
【図１】本発明によるＬＥＤレンズを示す垂直断面図である。
【図２】図１の「Ａ」部分の拡大図である。
【図３】出射面におけるフレネル反射によって、ＬＥＤレンズの光軸付近で輝度偏差が生じる状態を概略的に示す図である。
【図４】本発明の他の実施形態によるＬＥＤレンズを示す垂直断面図である。
【図５】図４によるＬＥＤレンズの底面図である。
【図６】図４によるＬＥＤレンズが備えられたバックライトユニットの反射シート上における光分布を示す図であって、表面処理がなされた当接面が形成されていない場合の光分布を示す図である。
【図７】図４によるＬＥＤレンズが備えられたバックライトユニットの反射シート上における光分布を示す図であって、表面処理がなされた当接面が形成された場合の光分布を示す図である。
【図８】第１の底面に表面処理がなされた場合の光分布を示す図である。
【図９】第２の底面に表面処理がなされた場合の光分布の改善効果を示す図であって、（ａ）は、第２の底面に表面処理がなされていない場合の光分布を示す図であり、（ｂ）は、第２の底面に表面処理がなされた場合の光分布を示す図である。
【発明を実施するための形態】
【００２５】
以下、添付された図面を参照して、本発明による実施形態について、この発明の属する技術分野における通常の知識を有する者が容易に実施できるように詳しく説明する。
【００２６】
本発明は、様々な修正及び変形を許容する上で、その特定の実施形態が図面に例示され、以下において詳細に説明される。しかしながら、本発明を開示された特別な形態に限定しようとする意図ではなく、むしろ本発明は、請求項によって定義された本発明の思想と合致するあらゆる修正、均等、及び代用を包含する。
【００２７】
なお、本明細書に添付する図面における厚み及びサイズは、明確に示すために誇張して図示したものであり、従って、本発明は添付する図面に示された相対的なサイズや厚みによって制限されるものではない。
【００２８】
図１は、本発明の一実施形態によるＬＥＤレンズを示す垂直断面図であり、図２は、図１の「Ａ」部分の拡大図である。
【００２９】
図１及び図２を参照すると、本発明によるＬＥＤ（Ｌｉｇｈｔ  Ｅｍｉｔｔｉｎｇ  Ｄｉｏｄｅ）レンズ１０は、ＬＥＤチップ（ＬＥＤ  ｃｈｉｐ）１１から放射される光がレンズ１０内部に入射する入射面１２を備えた底面２０と、ＬＥＤチップ１２から発散してレンズ１０内部に入射した光が出射する出射面３０とを備える。
【００３０】
ＬＥＤチップ１１は、立体光源（ｖｏｌｕｍｅ  ｓｏｕｒｃｅ）で光を発散し、入射面１２は、ＬＥＤチップ（ＬＥＤ  ｃｈｉｐ）１１の上部に備えられてもよい。
【００３１】
入射面１２は、底面２０の中心部に形成され、ＬＥＤチップ１１を収容する収容溝１３の内面からなってもよい。
【００３２】
また、本発明によるＬＥＤレンズ１０は、ＬＥＤチップ１１から発散する光をより均一に拡散させるために、出射面３０が、上方に凸状の形状からなってもよい。
【００３３】
特に、本発明によるＬＥＤレンズ１０の出射面３０は、変曲点を形成することなく、全体的に一つのラインで凸状の形状を成すように形成されてもよい。
【００３４】
なお、ＬＥＤチップ１１が光を発散する形態は、立体光源（ｖｏｌｕｍｅ  ｓｏｕｒｃｅ）形態で行われるので、より均一に光を拡散させるためには、ＬＥＤチップ１１の上面から発散する光Ｌ１のみならず、側面から発散する光Ｌ２も考慮しなければならない。
【００３５】
このため、本発明によるＬＥＤレンズ１０は、底面２０に備えられ、ＬＥＤチップ１１の側面から発散してレンズ１０内部に入射した光Ｌ２を出射面３０へ全反射させる全反射面４０をさらに備える。
【００３６】
全反射面４０は、入射面１２に当接され、下方に凸状の形状を有する第１の全反射面４２と、第２の全反射面４２に当接され、上方に凸状の形状を有する第２の全反射面４３とを備えてもよく、第１の全反射面４２及び第２の全反射面４４の間には変曲点Ｐ１が形成されてもよい。
【００３７】
変曲点Ｐ１は、ＬＥＤチップ１１の中心軸１４からレンズ１０の半径Ｒの２／５〜３／５の範囲内の箇所に形成されてもよく、好ましくは、レンズ１０の半径Ｒの略１／２の箇所に形成されてもよい。
【００３８】
また、全反射面４０は、第２の全反射面４３に当接され、出射面３０でフレネル反射（Ｆｒｅｓｎｅｌ  ｒｅｆｌｅｃｔｉｏｎ）された光Ｌ３を出射面３０へ全反射させる第３の全反射面４５をさらに備えてもよく、第２の全反射面４３及び第３の全反射面４５の間にはピーク点Ｐ２が形成されてもよい。
【００３９】
図３は、出射面におけるフレネル反射によって、ＬＥＤレンズの光軸付近で輝度偏差が生じる状態を概略的に示す図である。
【００４０】
図３に示されているように、フレネル反射（Ｆｒｅｓｎｅｌ  ｒｅｆｌｅｃｔｉｏｎ）は、屈折率の異なる物質同士において、光が境界面を通過する際に生ずる反射であり、このようなフレネル反射によって、出射面３０を介して出射する光Ｌ１のうちの一部Ｌ３は、底面２０に再反射されるようになり、これによってＬＥＤレンズ１０の光軸１４付近で輝度偏差が生じるようになる。
【００４１】
しかしながら、本発明によるＬＥＤレンズ１０のように、全反射面４０が第３の全反射面４５をさらに備えることで、出射面３０でフレネル反射された光Ｌ３をレンズ１０外部に出射することができるので、ＬＥＤレンズ１０の光軸１４付近における輝度偏差を減少させることができる（図１を参照）。
【００４２】
ピーク点Ｐ２は、ＬＥＤチップ１１の中心軸１４からレンズ１０の半径Ｒの３／５〜３／４の範囲内の箇所に形成されてもよく、好ましくは、レンズ１０の半径Ｒの略２／３の箇所に形成されてもよい。
【００４３】
前記構成を有する本発明に係るＬＥＤレンズ１０によると、立体光源で光を発散するＬＥＤチップ１１を光源として用いても、光を均一に拡散させることができる。
【００４４】
図４は、本発明の他の実施形態によるＬＥＤレンズを示す垂直断面図であり、図５は、図４によるＬＥＤレンズの底面図である。
【００４５】
図４及び図５を参照すると、本実施形態によるＬＥＤレンズ１０の底面２０は、入射面１２及び全反射面４０を当接する第１の底面２２と、全反射面４０及び出射面３０を当接する第２の底面２４とを備えてもよい。
【００４６】
また、本実施形態によるＬＥＤレンズ１０は、第２の底面２４の下方に突出形成されるレッグ（ｌｅｇ）５０をさらに備えてもよい。
【００４７】
図５に示されているように、本実施形態によるＬＥＤレンズ１０は、平面視で略円状の形状からなってもよく、レッグ５０は、円周方向に一定間隔で少なくとも三つ以上備えられてもよい。
【００４８】
また、本実施形態によるＬＥＤレンズ１０は、入射面１２及び第１の底面１２の当接部に形成される当接面１７をさらに備えてもよい。
【００４９】
当接面１７は、入射面１２の一部を成す構成であり、入射面１２の縁端部、すなわち、入射面１２及び第１の底面１２の当接部に形成される。
【００５０】
図４に示されているように、当接面１７は、ＬＥＤレンズ１０の光軸１４から離遠する方向に拡張される形状を有してもよい。それによって、収容溝１３の縁端部の空間が拡張（ｗｉｄｅｎ）される。
【００５１】
また、図５に示されているように、当接面１７は、ＬＥＤチップ１１から入射する光を散乱させるように表面処理がなされてもよい。例えば、表面処理は、ＬＥＤレンズ１０の射出成形時に使用される金型コアに化学的腐食を用いて形成するか、或いはサンディング腐食を適用して形成してもよい。
【００５２】
このように当接面１７が表面処理されると、バックライトユニットの反射シート上における光分布が、輪状のバンドを形成することなく、均一に拡散されるようになる。
【００５３】
図６及び図７は、図４によるＬＥＤレンズが備えられたバックライトユニットの反射シート上における光分布を示す図であって、図６は、表面処理がなされた当接面が形成されていない場合の光分布を示す図であり、図７は、表面処理がなされた当接面が形成された場合の光分布を示す図である。
【００５４】
図６に示されているように、表面処理がなされた当接面１７が形成されていない場合の光分布では、略二つの輪状のバンド１８、１９が発生する一方で、図７に示されているように、表面処理がなされた当接面１７が形成された場合の光分布では、前記二つの輪状のバンド１８、１９のうち、外側の輪状のバンド１９がほぼ除去されることを確認することができる。
【００５５】
なお、図５に示されているように、本実施形態によるＬＥＤレンズ１０は、当接面１７のみならず、第１の底面２２にも表面処理がなされてもよい。
【００５６】
図８は、第１の底面に表面処理がなされた場合の光分布を示す図である。
【００５７】
図８に示されているように、第１の底面２２に表面処理がなされた場合の光分布では、前記二つの輪状のバンド１８、１９のうち、内側の輪状のバンド１８も減少されることを確認することができる。
【００５８】
さらに、図５に示されているように、本実施形態によるＬＥＤレンズ１０は、レッグ５０を備えた第２の底面２４にも表面処理がなされてもよい。
【００５９】
図９は、第２の底面に表面処理がなされた場合の光分布の改善効果を示す図であって、図９（ａ）は、第２の底面に表面処理がなされていない場合の光分布を示す図であり、図９（ｂ）は、第２の底面に表面処理がなされた場合の光分布を示す図である。
【００６０】
図９に示されているように、レッグ５０を備えた第２の底面２４に表面処理がなされた場合（図９（ｂ））、第２の底面２４に表面処理がなされていない場合（図９（ａ））より、ＬＥＤチップ１１が位置するＬＥＤレンズ１０の中心部におけるホットスポット（ｈｏｔ  ｓｐｏｔ）が減少されることを確認することができる。
【００６１】
以上、前述したように、本発明は、立体光源（ｖｏｌｕｍｅ  ｓｏｕｒｃｅ）で光を発散するＬＥＤチップを光源として用いても、光を均一に拡散させることができるバックライトユニット用ＬＥＤレンズに関するものであり、その実施形態は、様々な形態に変更可能である。従って、本発明は、本明細書に記載された実施形態によって限定されるものではなく、本発明の属する技術分野における通常の知識を有する者が変更可能なあらゆる形態もまた、本発明の権利範囲に属するものである。
【図１】
2017524244.tif 000003
【図２】
2017524244.tif 000004
【図３】
2017524244.tif 000005
【図４】
2017524244.tif 000006
【図５】
2017524244.tif 000007
【図６】
2017524244.tif 000008
【図７】
2017524244.tif 000009
【図８】
2017524244.tif 000010
【図９（ａ）】
2017524244.tif 000011
【図９（ｂ）】
2017524244.tif 000012
【国際調査報告】
2017524244.tif 000013
2017524244.tif 000014
2017524244.tif 000015
2017524244.tif 000016